(57)【要約】【課題】伝送される映像信号がＲＧＢ信号であるか否かの判別を、安価な構成で行う。【解決手段】送信器２においては、判定用信号生成部２０が水平同期信号ＨＤを増幅して判定用信号ＪＳを生成し、第１信号重畳部２１Ａは、Ｒ信号に該判定用信号ＪＳを重畳した信号を生成する。その信号は、第１信号線４Ａを介して受信器３に伝送されるが、映像信号判別部３０においてその信号の２値化が行われて、判定用信号ＪＳの有無が判別される。該判定用信号ＪＳが判別された場合には、受信器３に伝送されてきた信号がＲＧＢ信号であり、第１〜第３信号分離部３１Ａ，３１Ｂ，３１Ｃにて各色信号や垂直同期信号ＶＤ及び水平同期信号ＨＤの分離が行われる。それらの信号は映像表示装置に伝送されて、映像表示が行われる。本発明によれば、簡単で安価な構成で、映像信号の種類判別が可能となる。【選択図】図１
2008172558.tif 000002
【特許請求の範囲】
【請求項１】
映像信号を送信する送信器において、
送信する映像信号がＲ信号、Ｇ信号及びＢ信号の場合に判定用信号を生成する判定用信号生成部と、
Ｒ信号、Ｇ信号及びＢ信号の内のいずれか１つの色信号である第１色信号に前記判定用信号を重畳させる第１信号重畳部と、
前記第１色信号以外の２つの色信号の内のいずれか１つの色信号である第２色信号に、垂直同期信号又は水平同期信号のいずれか一方の信号である第１同期信号を重畳させる第２信号重畳部と、
前記第１色信号及び前記第２色信号以外の色信号である第３色信号に他方の同期信号である第２同期信号を重畳させる第３信号重畳部と、
を備え、
前記第１色信号に前記判定用信号を重畳させた信号、前記第２色信号に前記第１同期信号を重畳させた信号、及び前記第３色信号に前記第２同期信号を重畳させた信号を別々の信号線によって送信する、
ことを特徴とする送信器。
【請求項２】
前記判定用信号は、垂直同期信号又は水平同期信号のいずれか一方の信号を増幅した信号である、
ことを特徴とする請求項１に記載の送信器。
【請求項３】
前記判定用信号生成部による増幅の程度は、前記第１色信号に前記判定用信号が重畳されてなる合成信号の負極性側最大レベルが、ＲＧＢ信号以外の映像信号の負極性側最大レベルよりも大きくなる程度である、
ことを特徴とする請求項２に記載の送信器。
【請求項４】
映像信号を送信する送信器と、該送信器からの映像信号を受信する受信器と、これらの送信器及び受信器を接続するケーブルと、を備える映像信号伝送装置において、
前記送信器が、
送信する映像信号がＲ信号、Ｇ信号及びＢ信号の場合に判定用信号を生成する判定用信号生成部と、
Ｒ信号、Ｇ信号及びＢ信号の内のいずれか１つの色信号である第１色信号に前記判定用信号を重畳させる第１信号重畳部と、
前記第１色信号以外の２つの色信号の内のいずれか１つの色信号である第２色信号に、垂直同期信号又は水平同期信号のいずれか一方の信号である第１同期信号を重畳させる第２信号重畳部と、
前記第１色信号及び前記第２色信号以外の色信号である第３色信号に他方の同期信号である第２同期信号を重畳させる第３信号重畳部と、
を有し、
前記ケーブルが、
前記第１信号重畳部からの第１伝送信号を前記送信器から前記受信器に伝送する第１信号線と、
前記第２信号重畳部からの第２伝送信号を前記送信器から前記受信器に伝送する第２信号線と、
前記第３信号重畳部からの第３伝送信号を前記送信器から前記受信器に伝送する第３信号線と、
を有する、
ことを特徴とする映像信号伝送装置。
【請求項５】
前記判定用信号は、垂直同期信号又は水平同期信号のいずれか一方の信号を増幅した信号である、
ことを特徴とする請求項４に記載の映像信号伝送装置。
【請求項６】
前記判定用信号生成部による増幅の程度は、前記第１伝送信号の負極性側最大レベルが、ＲＧＢ信号以外の映像信号の負極性側最大レベルよりも大きくなる程度である、
ことを特徴とする請求項５に記載の映像信号伝送装置。
【請求項７】
前記第１伝送信号の負極性側最大レベルが閾値以上の場合にＲＧＢ信号が伝送されたと判別する映像信号判別部、
を備えた請求項４乃至６のいずれか１項に記載の映像信号伝送装置。
【請求項８】
前記閾値は、ＲＧＢ信号以外の映像信号の負極性側最大レベルと前記第１伝送信号の負極性最大レベルとの間の値である、
ことを特徴とする請求項７に記載の映像信号伝送装置。
【請求項９】
前記第１伝送信号を前記判定用信号と前記第１色信号とに分離する第１信号分離部と、
前記第２伝送信号を前記第１同期信号と前記第２色信号とに分離する第２信号分離部と、
前記第３伝送信号を前記第２同期信号と前記第３色信号とに分離する第３信号分離部と、
を前記受信器に備えたことを特徴とする請求項４乃至８のいずれか１項に記載の映像信号伝送装置。
【請求項１０】
前記ケーブルは、カテゴリ５のＬＡＮケーブルである、
ことを特徴とする請求項４乃至９のいずれか１項に記載の映像信号伝送装置。
【発明の詳細な説明】
【技術分野】
【０００１】
本発明は、映像信号等を伝送する送信器及び映像信号伝送装置に係り、詳しくは、伝送される映像信号の種類を判別する機構に関する。
【背景技術】
【０００２】
近年、送信器と受信器とをツイストペアケーブルにて接続しておいて、送信器から受信器に映像信号等を伝送するようにした映像信号伝送装置が提案されている（例えば、特許文献１参照）。
【０００３】
図８は、従来の映像信号伝送装置の構成の一例を示す模式図である。図中の符号２０３は、映像信号（例えば、Ｒ信号やＧ信号やＢ信号）や他の信号（例えば、垂直同期信号ＶＤや水平同期信号ＨＤ等の同期信号や、左右の音声信号ＳＬＡ，ＳＲＡ）を送信するための送信器を示し、符号２０４は、それらの信号が伝送されるツイストペアケーブルを示し、符号２０１は、該ツイストペアケーブル２０４により伝送されてきた信号を受信するための受信器を示す。また、符号２０５は、映像信号Ｒ，Ｇ，Ｂや同期信号ＨＤ，ＶＤや音声信号ＳＬＡ，ＳＲＡを送信器２０３に入力するためのパソコンを示し、符号２０６は、受信した信号により動画像を再生する映像表示装置を示す。
【０００４】
このような映像信号伝送装置に使用される映像表示装置２０６としては、プラズマディスプレイ装置や液晶ディスプレイ装置等を挙げることができるが、これらの表示装置においては、ＲＧＢ信号だけでなく、他の映像信号（例えば、コンポーネント信号やコンポジット信号）も使用することができる。
【０００５】
一方、このような映像信号伝送装置においては、少ない信号線数のツイストペアケーブル２０４（例えば、ＬＡＮ接続に用いられるＣａｔｅｇｏｒｙ５
Ｕｎｓｈｉｅｌｄｅｄ Ｔｗｉｓｔｅｄ Ｐａｉｒ ｃａｂｌｅ）にて多種類の信号を伝送できるようにするため、複数種類の信号が重畳された状態で伝送され、受信器側にて信号分離や補正等の処理が施されていた。そして、このような処理は、当然ながら、伝送される映像信号の種類に応じて異なるため、適切な信号処理のためには、伝送されてきた映像信号の種類を識別できるようにしておく必要があった。
【０００６】
そのような映像信号の種類識別のための一つの方法としては、映像信号の種類を前記送信器の側において手動で入力できるようにしておいて、その識別信号が送信器２０３から受信器２０１に送信されるようにする方法がある。
【０００７】
また、映像信号の種類を自動判別するようにしたものとしては、ツイストペアケーブルを使用した装置ではないが、
・  入力信号がペデスタルレベルと比較して常に高いレベルにあるか又は低いレベルになることがあり得るかを判定することによりＲＧＢ信号かコンポーネント信号かを判別する方法（例えば、特許文献２参照）
・  同期周波数の計測に基づき、入力信号がＲＧＢ信号か否かを判別する方法（例えば、特許文献３参照）
などが挙げられる。
【特許文献１】特開２００４−３２８６６１号公報
【特許文献２】特開２００２−３２０２４３号公報
【特許文献３】特開２００４−２１０５４号公報
【発明の開示】
【発明が解決しようとする課題】
【０００８】
しかしながら、映像信号の種類を映像信号自体から判別するものでは、判別のためのハードウェアが必要となり、その分、コストが掛かってしまうという問題があった。
【０００９】
また、特許文献２に記載のものでは、ペデスタルレベルと比較するためのクランプ回路やラッチ回路、それらを制御するＭＰＵが必要であり、コストが掛かってしまうという問題があった。
【００１０】
さらに、特許文献３に記載のものでも、同期分離回路や同期周波数測定手段等が必要であり、同様に、コストが掛かってしまうという問題があった。
【００１１】
本発明は、コストの上昇を最小限に抑えて映像信号の種類判別を可能とした送信器、及び映像信号伝送装置を提供することを目的とするものである。
【課題を解決するための手段】
【００１２】
請求項１に係る発明は、図１及び図２に例示するものであって、映像信号を送信する送信器（２）において、
送信する映像信号がＲ信号、Ｇ信号及びＢ信号の場合に判定用信号（ＪＳ）を生成する判定用信号生成部（２０）と、
Ｒ信号、Ｇ信号及びＢ信号の内のいずれか１つの色信号である第１色信号に前記判定用信号（ＪＳ）を重畳させる第１信号重畳部（２１Ａ）と、
前記第１色信号以外の２つの色信号の内のいずれか１つの色信号である第２色信号に、垂直同期信号（ＶＤ）又は水平同期信号（ＨＤ）のいずれか一方の信号である第１同期信号を重畳させる第２信号重畳部（２１Ｂ）と、
前記第１色信号及び前記第２色信号以外の色信号である第３色信号に他方の同期信号である第２同期信号を重畳させる第３信号重畳部（２１Ｃ）と、
を備え、
前記第１色信号に前記判定用信号（ＪＳ）を重畳させた信号、前記第２色信号に前記第１同期信号を重畳させた信号、及び前記第３色信号に前記第２同期信号を重畳させた信号を別々の信号線（４Ａ，４Ｂ，４Ｃ）によって送信することを特徴とする。
【００１３】
請求項２に係る発明は、請求項１に係る発明において、前記判定用信号（ＪＳ）は、垂直同期信号（ＶＤ）又は水平同期信号（ＨＤ）のいずれか一方の信号を増幅した信号であることを特徴とする。
【００１４】
請求項３に係る発明は、請求項２に係る発明において、前記判定用信号生成部（２０）による増幅の程度は、前記第１色信号に前記判定用信号（ＪＳ）が重畳されてなる合成信号の負極性側最大レベル（図４の符号Ｖ１参照）が、ＲＧＢ信号以外の映像信号の負極性側最大レベルよりも大きくなる程度であることを特徴とする。
【００１５】
請求項４に係る発明は、図１及び図２に例示するものであって、映像信号を送信する送信器（２）と、該送信器（２）からの映像信号を受信する受信器（３）と、これらの送信器（２）及び受信器（３）を接続するケーブル（４）と、を備える映像信号伝送装置（１）において、
前記送信器（２）が、
送信する映像信号がＲ信号、Ｇ信号及びＢ信号の場合に判定用信号（ＪＳ）を生成する判定用信号生成部（２０）と、
Ｒ信号、Ｇ信号及びＢ信号の内のいずれか１つの色信号である第１色信号に前記判定用信号（ＪＳ）を重畳させる第１信号重畳部（２１Ａ）と、
前記第１色信号以外の２つの色信号の内のいずれか１つの色信号である第２色信号に、垂直同期信号（ＶＤ）又は水平同期信号（ＨＤ）のいずれか一方の信号である第１同期信号を重畳させる第２信号重畳部（２１Ｂ）と、
前記第１色信号及び前記第２色信号以外の色信号である第３色信号に他方の同期信号である第２同期信号を重畳させる第３信号重畳部（２１Ｃ）と、
を有し、
前記ケーブル（４）が、
前記第１信号重畳部（２１Ａ）からの第１伝送信号を前記送信器（２）から前記受信器（３）に伝送する第１信号線（４Ａ）と、
前記第２信号重畳部（２１Ｂ）からの第２伝送信号を前記送信器（２）から前記受信器（３）に伝送する第２信号線（４Ｂ）と、
前記第３信号重畳部（２１Ｃ）からの第３伝送信号を前記送信器（２）から前記受信器（３）に伝送する第３信号線（４Ｃ）と、
を有することを特徴とする。
【００１６】
請求項５に係る発明は、請求項４に係る発明において、前記判定用信号（ＪＳ）は、垂直同期信号（ＶＤ）又は水平同期信号（ＨＤ）のいずれか一方の信号を増幅した信号であることを特徴とする。
【００１７】
請求項６に係る発明は、請求項５に係る発明において、前記判定用信号生成部（２０）による増幅の程度は、前記第１伝送信号の負極性側最大レベル（図４の符号Ｖ１参照）が、ＲＧＢ信号以外の映像信号の負極性側最大レベルよりも大きくなる程度であることを特徴とする。
【００１８】
請求項７に係る発明は、請求項４乃至６のいずれか１項に記載の発明において、前記第１伝送信号の負極性側最大レベル（図４の符号Ｖ１参照）が閾値以上の場合にＲＧＢ信号が伝送されたと判別する映像信号判別部（３０）、を備えたことを特徴とする。
【００１９】
請求項８に係る発明は、請求項７に係る発明において、前記閾値は、ＲＧＢ信号以外の映像信号の負極性側最大レベルと前記第１伝送信号の負極性最大レベルとの間の値であることを特徴とする。
【００２０】
請求項９に係る発明は、請求項４乃至８のいずれか１項に記載の発明において、前記第１伝送信号を前記判定用信号（ＪＳ）と前記第１色信号とに分離する第１信号分離部（３１Ａ）と、
前記第２伝送信号を前記第１同期信号と前記第２色信号とに分離する第２信号分離部（３１Ｂ）と、
前記第３伝送信号を前記第２同期信号と前記第３色信号とに分離する第３信号分離部（３１Ｃ）と、を前記受信器（３）に備えたことを特徴とする。
【００２１】
請求項１０に係る発明は、請求項４乃至９のいずれか１項に記載の発明において、前記ケーブルが、カテゴリ５のＬＡＮケーブルであることを特徴とする。
【００２２】
なお、括弧内の番号などは、図面における対応する要素を示す便宜的なものであり、従って、本記述は図面上の記載に限定拘束されるものではない。
【発明の効果】
【００２３】
請求項１乃至７に係る発明によれば、伝送されてきた映像信号の種類の判別を行うことにより、映像信号の種類に応じた適切な処理を行うことができる。また、判定用信号の生成を同期信号の増幅によって行った場合には、必要なハード及びコストアップを最小限に抑えることができる。さらに、映像信号の種類は、前記判定用信号が重畳された信号（つまり、第１伝送信号）を受信器側において２値化等するだけで簡単に判別することができ、必要なハード及びコストアップを最小限に抑えることができる。
【発明を実施するための最良の形態】
【００２４】
以下、図１乃至図７に沿って、本発明を実施するための最良の形態について説明する。
【００２５】
ここで、図１は、本発明に係る映像信号伝送装置の詳細構成の一例を示すブロック図であり、図２は、本発明に係る映像信号伝送装置の概略構成の一例を示すブロック図である。これらの図に示す映像信号伝送装置１は、送信器２と受信器３とをケーブル４にて接続して構成されており、送信器２から受信器３へは映像信号やその他の信号が伝送されるようになっている。このケーブル４は、図１に詳示するように、少なくとも４本の信号線４Ａ，４Ｂ、４Ｃ、４Ｄを有するものであり、ツイストペアケーブル（例えば、カテゴリ５のＬＡＮケーブル）が好ましい。
【００２６】
一方、送信器２にはケーブル６Ａ，６Ｂを介してパソコン５が接続されており、映像信号等が入力されるようになっている。また、受信器３にはケーブル８Ａ，８Ｂを介して映像表示装置７が接続されており、伝送されてきた信号に基づき映像が表示されるようになっている。この映像表示装置７としては、プラズマディスプレイ装置や液晶ディスプレイ装置等を挙げることができる。
【００２７】
ところで、受信器３に伝送される映像信号としては、ＲＧＢ信号（Ｒ信号、Ｇ信号及びＢ信号）やコンポーネント信号やコンポジット信号を挙げることができる。受信器側では、当然ながら、映像信号に応じた処理を行わなければならないため、伝送されてきた映像信号の種類を判別する必要がある。そこで、本実施の形態では、映像信号がＲＧＢ信号であることを判別させるための信号（以下、“判定用信号”とする）ＪＳを前記送信器２の側で生成して映像信号と共に受信器３に送信し、受信器３の側では、その判定用信号ＪＳの判別を行うと共に、映像信号の種類に応じた処理を行うように構成した。以下、詳細を説明する。
【００２８】
前記送信器２は、送信する映像信号がＲ信号、Ｇ信号及びＢ信号の場合に判定用信号ＪＳ（垂直同期信号ＶＤ又は水平同期信号ＨＤのいずれか一方の信号を増幅した信号）を生成する判定用信号生成部２０を有している。このように、判定用信号の生成は同期信号の増幅によって行うため、必要なハード及びコストアップを最小限に抑えることができる。このように増幅させた同期信号ＶＤ又はＨＤは、映像信号の判定のためにだけに用いられ、本来の同期信号としては用いられないので、再生される映像の品質が悪くなることも無い。また、この送信器２は、
・  Ｒ信号、Ｇ信号及びＢ信号の内のいずれか１つの色信号（以下、“第１色信号”とする）に前記判定用信号ＪＳを重畳させる第１信号重畳部２１Ａと、
・  前記第１色信号以外の２つの色信号の内のいずれか１つの色信号（以下、“第２色信号”とする）に一方の同期信号（垂直同期信号ＶＤ又は水平同期信号ＨＤのいずれか一方の意であり、以下“第１同期信号”とする）を重畳させる第２信号重畳部２１Ｂと、
・  ３つ目の色信号（つまり、前記第１色信号及び前記第２色信号以外の色信号の意であり、以下“第３色信号”とする）に他方の同期信号（以下、“第２同期信号”とする）を重畳させる第３信号重畳部２１Ｃと、
を備えている。そして、これらの第１〜第３信号重畳部２１Ａ，２１Ｂ，２１Ｃにより生成された信号は、それぞれ別々の信号線４Ａ，４Ｂ，４Ｃを介して前記受信器３に伝送されるようになっている。なお、説明の便宜上、前記第１信号重畳部２１Ａにて重畳された信号を伝送する信号線４Ａを“第１信号線”とし、その信号を“第１伝送信号”とする。また、前記第２信号重畳部２１Ｂにて重畳された信号を伝送する信号線４Ｂを“第２信号線”とし、その信号を“第２伝送信号”とする。さらに、前記第３信号重畳部２１Ｃにて重畳された信号を伝送する信号線４Ｃを“第３信号線”とし、その信号を“第３伝送信号”とする。
【００２９】
ところで、この送信器２は、所定の制御信号（機器制御用のＲＳ２３２Ｃ）や音声信号等の信号を重畳する第４信号重畳部２１Ｄを備えている。このように重畳された信号は４本目の信号線（以下、“第４信号線”とする）４Ｄにより前記受信器３に伝送される。つまり、本実施の形態においては、第１〜第３信号重畳部２１Ａ，２１Ｂ，２１Ｃ及び第１〜第３信号線４Ａ，４Ｂ，４Ｃによって映像についての信号が送信され、第４信号重畳部２１Ｄ及び第４信号線４Ｄによって映像以外の信号が送信されるようになっている。
【００３０】
なお、上述のようなＲＧＢ信号ではなく、他のビデオ信号（コンポジット信号やコンポーネント信号）が前記受信器３に伝送される場合には、前記第１〜第３信号線４Ａ，４Ｂ，４Ｃを介してビデオ信号がそのまま伝送されることとなる。
【００３１】
したがって、本実施の形態において前記第１信号線４Ａを伝送される信号は、伝送される映像信号の種類に応じて異なり、
・  ＲＧＢ信号の伝送の場合には、いずれかの色信号（つまり、Ｒ信号、Ｇ信号及びＢ信号のいずれか）に前記判定用信号ＪＳを重畳させたものであり、
・  コンポーネント信号やコンポジット信号の伝送の場合には、ビデオ系の信号そのもの（例えば、Ｐｒ，Ｙ，Ｐｂのいずれか）
である。図３は、信号伝送の形態の一例を模式的に示したブロック図であり、
・  ＲＧＢ信号の伝送の場合に、第１信号線４Ａにて“Ｒ信号＋判定用信号ＪＳ”が伝送され、第２信号線４Ｂにて“Ｇ信号＋垂直同期信号ＶＤ”が伝送され、第３信号線４Ｃにて“Ｂ信号＋水平同期信号ＨＤ”が伝送され、第４信号線４Ｄにて“ＲＳ２３２Ｃ信号＋音声信号ａｕｄｉｏ”が伝送され、
・  コンポーネント信号の伝送の場合に、第１信号線４Ａにて“Ｐｒ信号”が伝送され、第２信号線４Ｂにて“Ｙ信号”が伝送され、第３信号線４Ｃにて“Ｐｂ信号”が伝送され、第４信号線４Ｄにて“ＲＳ２３２Ｃ信号＋音声信号ａｕｄｉｏ”が伝送される、
ことを示している。それらの信号は、信号線８Ａ，８Ｂ１〜８Ｂ５を介して受信器３から映像表示装置７に伝送されることとなる。なお、ＲＳ２３２Ｃ信号と音声信号ａｕｄｉｏとを１本の信号線で送信した場合には受信器側で分離のための処理が必要となるが、ＲＳ２３２Ｃだけ（或いは音声信号だけ）を送信すれば、そのような処理は必要無くなり、その分、コストダウンを図ることができる。
【００３２】
一方、図４は、第１色信号（この場合はＲ信号）に判定用信号ＪＳ（この場合は、水平同期信号ＨＤを増幅したもの）を重畳させたものを示す波形図である。この場合、判定用信号ＪＳが負極性であるため、その合成信号にも負極性部分（符号ＪＳ１参照）が存在する。他方のビデオ系の信号の場合も、ＡＣカップリングによって負極性部分が存在するが、該信号の場合は最大振幅に制限（例えば、−０．７Ｖ程度）がある。そこで、本実施の形態においては、前記判定用信号ＪＳの負極性側最大電圧レベル（符号Ｖ１参照）がその制限を超えるような増幅率で垂直同期信号ＶＤ又は水平同期信号ＨＤの増幅を行う。つまり、同期信号ＶＤ又はＨＤが増幅されてなる判定用信号ＪＳの増幅の程度は、前記第１色信号に前記判定用信号ＪＳが重畳されてなる合成信号の負極性側最大レベルＶ１が、ＲＧＢ信号以外の映像信号の負極性側最大レベルよりも大きくなる程度にしている。具体的には、該レベルＶ１を−１．０Ｖ程度としている。
【００３３】
なお、図５は、第２色信号（この場合はＧ信号）に第１同期信号（この場合は垂直同期信号ＶＤ）を重畳させたものを示す波形図であり（但し、横軸のタイムスケールは図４のものとは異なる）、図６は、第３色信号（この場合はＢ信号）に第２同期信号（この場合は水平同期信号ＨＤ）を重畳させたものを示す波形図である。このようなＲ信号、Ｇ信号及びＢ信号の最大電圧レベルは＋０．７Ｖ程度が一般的であり（図４乃至図６の符号Ｖ２，Ｖ３，Ｖ４参照）、垂直同期信号ＶＤ及び水平同期信号ＨＤの最大電圧レベルは−０．７〜０．８Ｖ程度が一般的である（図５及び図６の符号Ｖ５，Ｖ６参照）。なお、これらの波形図は一例に過ぎず、Ｒ信号以外の信号に判定用信号を重畳させても良く、Ｇ信号−垂直同期信号ＶＤ以外の組み合わせとしても良く、Ｂ信号−水平同期信号ＨＤ以外の組み合わせとしても良い。また、水平同期信号ＨＤ及び垂直同期信号ＶＤを別々の信号線で伝送するのではなく、それらを合成した形の“複合同期信号（Ｃｓｙｎｃ）”を用い、この複合同期信号を１本の信号線で伝送するようにしても良い。
【００３４】
ところで、前記受信器３には映像信号判別部３０が設けられていて、第１信号線４Ａからの第１伝送信号（例えば、図４に示す波形の信号）に基づき、判定用信号ＪＳの有無を判別するように構成されている。例えば、ビデオ系信号の負極性側最大レベルと前記第１伝送信号の負極性最大レベルとの間の値（例えば、−０．７６Ｖ）を閾値として第１伝送信号の２値化を行い（図７のＳ１参照）、判定用信号ＪＳの有無を判別すると良い（同図のＳ２参照）。前記第１伝送信号の負極性側最大レベルが閾値以上の場合にＲＧＢ信号が伝送されたと判別されることとなる。
【００３５】
また、この受信器３には、
・  前記第１伝送信号を前記判定用信号ＪＳと前記第１色信号とに分離する第１信号分離部３１Ａと、
・  前記第２伝送信号を前記第１同期信号と前記第２色信号とに分離する第２信号分離部３１Ｂと、
・  前記第３伝送信号を前記第２同期信号と前記第３色信号とに分離する第３信号分離部３１Ｃと、
を設けておいて、伝送されてきた映像信号がＲＧＢ信号であることが前記映像信号判別部３０により判別された場合には（図７のＳ２参照）、前記第１〜第３信号分離部３１Ａ，３１Ｂ，３１ＣによってＲ信号、Ｇ信号、Ｂ信号、垂直同期信号ＶＤ及び水平同期信号ＨＤの分離を行い（Ｓ６，Ｓ７参照）、垂直同期信号ＶＤ及び水平同期信号ＨＤの復元（第２伝送信号や第３伝送信号の２値化を行って同期信号パルスのエッジを検出し、それに基づいて同期信号を生成するようにしても良い。）を行い（Ｓ８参照）、それらの信号を映像表示装置（ＰＤＰ）７に送信すると良い（Ｓ９参照）。
【００３６】
なお、前記映像信号判別部３０が判定用信号ＪＳを検出できなかった場合（つまり、伝送されてきた映像信号がＲＧＢ信号で無かった場合）には（Ｓ２，Ｓ３参照）、第２伝送信号及び第３伝送信号の２値化のための閾値（例えば、−０．７６Ｖ）を−２．０Ｖ程度に下げて、垂直同期信号ＶＤや水平同期信号ＨＤが誤って生成されないようにし（Ｓ４参照）、映像表示装置７にＹ信号等が伝送される（Ｓ５参照）。本発明によれば、伝送されてきた映像信号の種類の判別を行うことにより、映像信号の種類に応じた適切な処理を行うことができる。また、映像信号の種類は、前記判定用信号が重畳された信号（つまり、第１伝送信号）を２値化等するだけで簡単に判別することができ、必要なハード及びコストアップを最小限に抑えることができる。
【００３７】
なお、上述した受信器３には、第４信号線４Ｄを転送されてきた信号を分離するための第４信号分離部３１Ｄが設けられている。
【図面の簡単な説明】
【００３８】
【図１】図１は、本発明に係る映像信号伝送装置の詳細構成の一例を示すブロック図である。
【図２】図２は、本発明に係る映像信号伝送装置の概略構成の一例を示すブロック図である。
【図３】図３は、信号伝送の形態の一例を模式的に示したブロック図である。
【図４】図４は、第１色信号（この場合はＲ信号）に判定用信号ＪＳ（この場合は、水平同期信号ＨＤを増幅したもの）を重畳させたものを示す波形図である。
【図５】図５は、第２色信号（この場合はＧ信号）に第１同期信号（この場合は垂直同期信号ＶＤ）を重畳させたものを示す波形図である。
【図６】図６は、第３色信号（この場合はＢ信号）に第２同期信号（この場合は水平同期信号ＨＤ）を重畳させたものを示す波形図である。
【図７】図７は、受信器における信号の処理の一例を示すフローチャート図である。
【図８】図８は、従来の映像信号伝送装置の構成の一例を示す模式図である。
【符号の説明】
【００３９】
１              映像信号伝送装置
２              送信器
３              受信器
４              ケーブル
４Ａ            第１信号線
４Ｂ            第２信号線
４Ｃ            第３信号線
４Ｄ            第４信号線
２０            判定用信号生成部
２１Ａ          第１信号重畳部
２１Ｂ          第２信号重畳部
２１Ｃ          第３信号重畳部
３０            映像信号判別部
３１Ａ          第１信号分離部
３１Ｂ          第２信号分離部
３１Ｃ          第３信号分離部
ＨＤ            水平同期信号
ＶＤ            垂直同期信号
ＪＳ            判定用信号
【図１】
2008172558.tif 000003
【図２】
2008172558.tif 000004
【図３】
2008172558.tif 000005
【図４】
2008172558.tif 000006
【図５】
2008172558.tif 000007
【図６】
2008172558.tif 000008
【図７】
2008172558.tif 000009
【図８】
2008172558.tif 000010